(57)【要約】      （修正有）【課題】台所のシンク以外の場所でも使用でき、水切性がよく、多様な積載品に対応し、しかも設置、収納、洗浄のいずれもが簡単な水切・乾燥具を提供する。【解決手段】互いに平行して離間し、柔軟性材料からなる、２本の帯状部材１と、２本の帯状部材を接続する複数の棒状部材２とを含む、折り畳み可能な水切・乾燥具であって、水切・乾燥具は、折り畳まれた形状を保持するための固定具３をさらに有することができる。【選択図】図８
0003229043.tif 000002
【実用新案登録請求の範囲】
【請求項１】
互いに平行して離間し、柔軟性材料からなる、２本の帯状部材と、上記２本の帯状部材を接続する複数の棒状部材とを含む、折り畳み可能な水切・乾燥具。
【請求項２】
柔軟性材料が、ゴム及び／又はエラストマーを主体とし、棒状部材がステンレス製である、請求項１に記載の水切・乾燥具。
【請求項３】
折り畳まれた形状を保持するための固定具をさらに有する、請求項１又は２に記載の水切・乾燥具。
【請求項４】
固定具が硬質プラスチックを主体とする材料からなる、請求項３に記載の水切・乾燥具。
【請求項５】
固定具が棒状部材の少なくとも一つに連結する、請求項３に記載の水切・乾燥具。
【考案の詳細な説明】
【技術分野】
【０００１】
本考案は、折り畳み可能な水切・乾燥具に関する。本考案は、具体的には、台所や洗面所のシンクや浴槽に取り付けられて、食器や水周り品の水切や乾燥に使われる、折り畳み可能な水切・乾燥具に関する。
【背景技術】
【０００２】
台所のシンク付近に取り付けられる水切・乾燥具には、食器類の水切機能に加えて、簡単に取り付けられること、様々な大きさや形状の食器類を積載できること、様々な台所のシンクに対応できることなどが求められている。これまでに、次のような様々な水切・乾燥具が提案されている。
【０００３】
特許文献１には、台所のシンクを跨いで取り付けられる、水切と収納を兼ねる棚が記載されている。特許文献２には、固定部と伸縮自在な２つの台を有する台所用水切台が記載されている。しかしながら、これらの水切・乾燥具は、一旦設置すると持ち運びや分解が困難で、非使用時にはかえって台所の使い勝手の妨げになるという問題点がある。また、比較的大型であるためにシンク内に移して掃除をすることが難しいという問題もある。
【０００４】
特許文献３には、シンクの内部に設けられ、持ち運びに便利な水切かごが記載されている。しかしながら、この水切かごは変形や分解が不可能であるため、非使用時には比較的大きな収納場所を必要とする。
【０００５】
特許文献４には、トレイ、仕切り板、皿立て部、排水口を有する、伸縮可能な水切かごが記載されている。この水切かごは、小型化して収納できるという利点はあるものの、各部材の重なりが多く、カビが発生しやすく掃除が難しいという欠点がある。
【０００６】
そして、上述のいずれの例でも、水切・乾燥具の使用場所は台所のシンク周辺に限定されており、洗面所や浴室などの他の水回りや、屋外で使用は想定されていない。
【先行技術文献】
【特許文献】
【０００７】
【特許文献１】実用新案登録第３０８８５８７号公報
【特許文献２】特開平７−０３１５７８号公報
【特許文献３】特開２０１９−１２９９６２号公報
【特許文献４】実用新案登録第３１９７８５５号公報
【考案の概要】
【考案が解決しようとする課題】
【０００８】
そこで本考案者は、台所のシンク以外の場所でも使用でき、水切性がよく、多様な積載品に対応し、しかも設置、収納、洗浄のいずれもが簡単であるという、理想的な水切・乾燥具を求めた。
【課題を解決するための手段】
【０００９】
その結果、本考案者は、「折り畳み」というこれまで誰もが発想しなかった機能を水切・乾燥具に持たせることで、この課題を解決することに成功した。すなわち本考案は以下のものである。
（考案１）  互いに平行して離間し、柔軟性材料からなる、２本の帯状部材と、上記２本の帯状部材を接続する複数の棒状部材とを含む、折り畳み可能な水切・乾燥具。
（考案２）  柔軟性材料が、ゴム及び／又はエラストマーを主体とし、棒状部材がステンレス製である、考案１の水切・乾燥具。
（考案３）  折り畳まれた形状を保持するための固定具をさらに有する、考案１又は２の水切・乾燥具。
（考案４）  固定具が硬質プラスチックを主体とする材料からなる、考案３に記載の水切・乾燥具。
（考案５）  固定具が棒状部材の少なくとも一つに連結する、考案３に記載の水切・乾燥具。
【考案の効果】
【００１０】
本考案の水切・乾燥具は、通気性が良いために水切性に優れる。本考案の水切・乾燥具には、箸やスプーンなどの小型の食器から大皿までの様々な食器類や、様々な調理器具、水回り品を積載することができる。本考案の水切・乾燥具は折り畳み可能であるため、持ち運び、収納、取り付けが極めて容易である。本考案の水切・乾燥具は帯状部材と棒状部材という単純な部材を用いることによって、掃除が簡単な構造をとることができる。本考案の水切・乾燥具は、固定部材によってコンパクトな形状を維持することができ、持ち運びや収納が一層便利となる。
【図面の簡単な説明】
【００１１】
【図１】展開した本考案の水切・乾燥具の１例を上から見た様子を、模式的に示す。
【図２】展開した本考案の水切・乾燥具の１例を横から見た様子を、模式的に示す。
【図３】折り畳んだ本考案の水切・乾燥具の１例を上から見た様子を、模式的に示す。
【図４】折り畳んだ本考案の水切・乾燥具の１例を横から見た様子を、模式的に示す。
【図５】本考案の水切・乾燥具の棒状部材に取り付けられた固定部材を模式的に示す。固定部材を他の棒状部材に連結する前の状態を示す。
【図６】本考案の水切・乾燥具の棒状部材に取り付けられた固定部材を模式的に示す。固定部材を他の棒状部材に連結した状態を示す。
【図７】本考案の水切・乾燥具の棒状部材に取り付けられた固定部材を模式的に示す。
【図８】本考案の水切・乾燥具に固定部材が取り付けられた様子の１例を模式的に示す。
【図９】本考案の水切・乾燥具に固定部材が取り付けられた様子の１例を模式的に示す。
【図１０】本考案の水切り・乾燥具の１例を完全に広げた様子を示す。
【図１１】本考案の水切り・乾燥具の１例を完全に畳んだ様子を示す。
【図１２】本考案の水切・乾燥具に用いられる帯状部材の例を示す。
【考案を実施するための形態】
【００１２】
［水切・乾燥具］  本発明は、２本の帯状部材と複数の棒状部材とを含む、折り畳み可能な水切・乾燥具である。
【００１３】
［帯状部材］  本考案の水切・乾燥具は、上記２本の帯状部材でシンクの縁などの接地面に接触する。上記２本の帯状部材は互いに平行して離間し、柔軟性材料からなる。上記柔軟性材料は、上記２本の帯状部材を長手方向に捲回できる程度の柔軟性を有する材料である。このような柔軟性材料は、好ましくは、さらに耐水性があり、食器類の洗浄時に用いる温水や熱水で柔軟性や形状が変形しない程度の耐熱性を有し、また、食器類の洗浄剤によって変質しない耐薬品性を有する。このような柔軟性材料は、好ましくはゴム及び／又はエラストマーを主体とする。上記ゴム及び／又はエラストマーとしては、水回り品に用いられているものであれば制限されない。好ましいゴム及び／又はエラストマーとしては、スチレン・ブタジエン系、イソプレン系、オレフィン系、シリコン系、フッ素系、コアシェル系などであり、耐熱性と柔軟性の両方に優れる点で、シリコン系が特に好ましい。上記ゴム及び／又はエラストマーには、着色剤、補強材、充填剤、酸化防止剤、老化防止剤などの各種添加剤を配合することができる。
【００１４】
帯状部材の長さ、幅、厚みは、本考案の設置場所に応じて如何様にも設定できる。本考案の水切・乾燥具を家庭の台所のシンク周りに用いる場合には、シンクの規格に応じた長さ、幅、厚みであれば制限されず、一般的には長さ：１５ｃｍ以上５０ｃｍ以下、幅：３０ｃｍ以上６０ｃｍ以下、厚み：０．５ｃｍ以上２ｃｍ以下に設計する。本考案の水切・乾燥具を家庭の洗面所のシンク周りに用いる場合には、シンクのデザインに応じた長さ、幅、厚みであれば制限されない。本考案の水切・乾燥具を浴槽に掛けて用いる場合には、これよりも大型であり、浴槽の規格に応じた長さ、幅、厚みであれば制限されない。本考案の水切・乾燥具をキャンプなどのアウトドア活動に用いる場合には、組み合わせて用いる用具に適した大きさや材質を選択する。
【００１５】
［棒状部材］  本考案の水切・乾燥具の使用時に、上記複数の棒状部材は互いに離れて梯子の桟のように広がり、主にこの桟状に広がる棒状部材部分の上に食器類などの水切り・乾燥の対象物が置かれる。棒状部材の一方の端が上記２本の帯状部材の一方に連結し、棒状部材の他方の端が上記２本の帯状部材の他方に連結する。１つの棒状部材は、それが連結している帯状部材のそれぞれかに対して概ね直角に延長する。このような棒状部材は、水切り・乾燥の対象物の重さに耐える材料からなり、好ましくは、上記帯状部材と同様に耐水性、耐熱性、耐薬品性も有する。このような棒状部材の材料は、典型的には各種ステンレスである。ステンレスのグレードは、所望のコストや耐久性に応じて適宜選択される。安全性や防汚性の点で、ステンレス製の丸棒が特に好ましい。丸棒を棒状部材に用いる場合に、断面の大きさ（断面の直径）は、水切・乾燥具全体の大きさや所望の強度に応じて如何様にも調節可能である。本考案の水切・乾燥具を家庭の台所のシンク周りに用いる場合には、直径が０．２ｃｍ以上１ｃｍ以下のステンレス製丸棒が棒状部材として好ましい。
【００１６】
帯状部材と棒状部材との連結方法は特に制限されない。連結部分の構造は、本考案の水切・乾燥具の使用時や収納時の動作中に帯状部材と棒状部材との連結状態が損なわれない限り、制限されない。例えば、帯状部材のそれぞれに設けられた複数の孔に棒状部材のそれぞれの端を挿入して、２本の帯状部材と複数の棒状部材を連結することができる、また例えば、棒状部材の両端のそれぞれを、上記柔軟性材料からなる２枚の長尺シートで挟んで熱圧着などで柔軟性材料と棒状部材とを密着し、棒状部材の両端に２枚の長尺シートからなる帯状部材を接着することができる。
【００１７】
［固定具］  本考案の水切・乾燥具を収納する場合、上記２本の帯状部材を長手方向に捲回すると、棒状部材が束状に集まって、水切・乾燥具全体が「巻物」の形状をとる。本考案の水切・乾燥具の巻物状の形状を保持するために、本考案の水切・乾燥具には、さらに固定具を設けることができる。
【００１８】
固定具の形状や配置、個数は特に制限されない。一般的には、上記固定具は、帯状部材の端部に、あるいは上記帯状部材の最端部に位置する棒状部材に連結する。本考案の水切・乾燥具が捲回された状態では、固定具の開放端が他の棒状部材あるいは帯状部材に連結する。このような固定具としては、ひも、鎖、輪、鈎、クリップ、あるいはこれらの組み合わせが用いられる。
【００１９】
固定具の材質は特に制限されないが、帯状部材と棒状部材と同様に、強度、耐水性、耐熱性、耐薬品性を兼ね備える材質が好ましい。このような固定具の材料は一般的には硬質プラスチックやステンレスであり、このうちポリプロピレンや高密度ポリエチレン、エチレン・プロピレンブロックコポリマー、あるいはこれらの混合物は軽量で低コストである点で好ましい。
【実施例】
【００２０】
本考案の具体例を、図面を参照させて説明する。図中の表示には、本考案の水切・乾燥具の構造を理解するために誇張あるいは省略がある。図面は実物を正確に描写したものではなく、本考案の態様は図示物に限定されない。
【００２１】
［台所用水切・乾燥具（使用時）］  図１と図２に、帯状部材が完全に展開された本考案の水切・乾燥具の１例を、模式的に示す。
【００２２】
図１は、水切・乾燥具を上から見た様子を示す。対称な帯状部材（１）の２本と棒状部材（２）とが梯子状に連結されている。棒状部材（２）は細長い円柱状である。帯状部材（１）は互いに平行である。複数の棒状物質（２）は、はしごの桟のように２本の帯状部材（１）の間に等間隔で配置されている。棒状部材（２）の端部は帯状部材（１）の内部に挿入しており、見えない。
【００２３】
図２は、水切・乾燥具を横から見た様子を示す。帯状部材の一方のみが見えており、他方の帯状部材はこれに隠れて見えない。図２の点線で描かれた円は、実際には見えない、帯状部材（１）の内部に位置する棒状部材（２）の端部形状を示す。帯状部材（１）の、棒状部材（２）の端部と連結する部位断面は、いずれも合同な六角形である。帯状部材（１）が完全に展開した状態では、それぞれの六角形の１辺が一直線上に並ぶため、帯状部材（１）が安定して水切・乾燥具の接地面に接触する。しかも、帯状部材（１）の一部だけが水切・乾燥具の接地面に接触し、接地面と水切・乾燥具との間には適度な隙間が形成されるので、水切・乾燥具によって水がせき止められ水溜りを生じるという問題が、起き難い。
【００２４】
図１、図２に示すように本考案の水切・乾燥具を展開した状態で、食器などの水切・乾燥の対象物を梯子の桟のように並んだ複数の棒状部材（２）の上に置くことができる。箸やスプーンなどの細長い食器は、棒状部材（２）に直交する向きに並べることで、水切・乾燥具からの転落を防ぐことができる。
【００２５】
帯状部材（１）あるいは棒状部材（２）から水切・乾燥の対象物がはみ出ても、積載物の重心が安定していれば、問題はない。このため、本考案の水切・乾燥具は大きな皿やまな板の水切や乾燥にも適用できる。この点で本考案は、本体の転倒や食器の転落が起きやすい、従来の水切かごや水切棚に比べて格段に優れている。
【００２６】
［台所用水切・乾燥具（収納時）］  図３と図４は、折り畳んだ状態の本考案の水切・乾燥具の１例を、模式的に示す。２本の帯状部材（１）を長手方向に捲回すると、本考案の水切・乾燥具は巻物のような形状にまとまる。２本の帯状部材（１）の一部を捲回することもできるので、本考案の「折り畳み」は部分的な折り畳みから、完全な折り畳みまで、自由に調節することができる。「折り畳み」は、上記捲回に限らない。図４では、で帯状部材（１）の側面が渦巻きを描く例であるが、この他に、帯状部材（１）の側面が波型やＺ字を描くように２本の帯状部材（１）を折り畳むこともできる。
【００２７】
折り畳まれた水切・乾燥具は、狭い場所でも収納でき、簡単に持ち運ぶことができる。帯状部材（１）をゴム及び／又はエラストマーを主体とする材料で構成すると、図４に示すように、帯状部材（１）の表面の凹凸が適度な摩擦力を伴って接触し、巻物の形状が保持される。
【００２８】
従来の水切かごや水切棚では、柔軟性のある部材を使用することは、避けられていた。また従来の水切かごや水切棚では、分解せずに空隙がほとんどない状態にまで圧縮小型化することは、意図していなかった。これに対して本考案では、柔軟性のある帯状部材を用いることによって、水切・乾燥具の折り畳み実現し、水切・乾燥具の小型化と展開を簡単に繰り返すことに成功した。このような本考案の折り畳みと展開機能は、従来技術に対して画期的である。
【００２９】
［固定具］  本考案の水切・乾燥具に固定具を設けた例を、図５，図６，図７，図８，図９に示す。図５は、棒状部材（２）のうちで帯状部材の最端部に連結した棒状部材（２０１）に固定具（３）を連結した様子を示す。固定具（３）は、ポリプロピレン製で、射出成形で成形されている。固定具（３）の先端には、他の棒状部材に噛み合って連結するための、噛み合い凹部（３１）が設けられている。棒状部材（２０１）は丸棒であり、噛み合い凹部（３１）の内側は丸棒表面に合致した曲面で構成される。図５と図７に示すように、棒状部材（２０１）は固定具（３）の孔（３２）を貫通することによって固定具（３）と連結する。固定具（３）と棒状部材（２０１）とは、固定具（３）の内周面（３３）で摺動する。固定具（３）は棒状部材（２０１）を軸に全周３６０度の範囲を回転することができる。固定具（３）は棒状部材（２０１）の長手に沿って棒状部材（２０１）の表面上を移動することができる。
【００３０】
水切・乾燥具を折り畳み、次いで、図６に示すように、棒状部材（２０１）から適当な位置にある他の棒状部材（２０２）に固定具（３）を引っ掛けて、噛み合い部（３１）を棒状部材（２０２）に密着させる。固定部材（３）を介して２本の棒状部材（２０１，２０２）が連結し、複数の棒状部材（２）の全体が束状に集まった状態で保持される。こうして、本考案の水切・乾燥具はコンパクトな形で収納することができる。
【００３１】
図８は、１つの固定具（３０１）を棒状部材（２０１）に連結した例を示す。図９は、２つの固定具（３０２，３０３）を棒状部材（２０１）に連結した例を示す。固定具（３０１，３０２，３０３）は棒状部材（２０１）を軸に回転することができ、また、棒状部材（２０１）に沿って一方の帯状部材（１０１）と他方の帯状部材（１０２）との間を移動することができる。本考案の水切・乾燥具の使用時には、固定具（３０１，３０２，３０３）を食器類の積載を妨げない位置に移動することができる。
【００３２】
［折り畳み前後］  図１０、図１１は、本考案の水切・乾燥具の例の写真である。この例は、２本の帯状部材、１２本の棒状部材、２つの固定具を備える。図１０は、この水切り・乾燥具を完全に広げた様子を示す。図１１は、この水切り・乾燥具を完全に畳んだ様子を示す。
【００３３】
［帯状部材］  図１２に、図１０、図１１に示した水切・乾燥具に用いられた帯状部材の一方（１００）を示す。帯状部材（１００）には、一方の端部（１１）から他方の端部（１２）まで、長手方向に合計１２個の凹部（１３）が形成されており、凹部（１３）のそれぞれに円柱状の棒状部材が挿入される。凹部（１３）を囲む帯状部材（１００）の外周面は六角柱状であって、帯状部材（１００）には、１２個の凹部（１３）の列を挟んで両側に、同一面上に位置する１２個の設置面（１４）の列が２組並んでいる。図１２では、片側の１２個の設置面（１４）の列のみが表示されている。図１０，図１１に示す水切・乾燥具は、上記１２個の設置面（１４）の列のいずれかで、接地面に密着する。
【００３４】
［効果］  本考案の水切・乾燥具は、強度、通気性、通水性に優れ、それ自体の洗浄も容易である。しかも、本考案の水切・乾燥具は、柔軟材料からなる２本の帯状部材によって、適度な強度でシンク周りなどに固定される。本考案の水切・乾燥具は、様々な形状の物品（例えば食器類）を積載することができる。
【００３５】
帯状部材の大きさ、長さ、厚みや、これを構成する棒状部材の太さ、長さ、配置数、配置密度などを様々に調節することができるため、本考案の水切・乾燥具として、例えば比較的小さい台所用タイプから、例えば比較的大型の浴室用タイプまで、さらにはキャンプ用タイプまで、様々なバリエーションを実現することができる。
【００３６】
本考案の水切・乾燥具は、平たいスノコ形状で使用し、使用後はコンパクトな形態に変化させて収納することができるため、非使用に無駄な空間を占有するという従来の水切かごや水切棚の問題がない。本考案の水切・乾燥具にさらに固定具を設けた場合には、上記巻物状の形状を保持し、持ち運びと収納が一層簡単になる。
【産業上の利用可能性】
【００３７】
本考案の水切・乾燥具は、台所に限らず、洗面所や浴室などの他の水回りでも、また、キャンプなどの屋外活動の場所でも利用することができる、理想的な水切・乾燥具である。本考案は、新規で便利な水回り製品、旅行用品、アウトドア用品として価値が高い。
【符号の説明】
【００３８】
１，１０１，１０２  帯状部材
１００  帯状部材
１１，１２  帯状部材の端部
１３  帯状部材の凹部
１４  帯状部材の設置面
２，２０１，２０２  棒状部材
３，３０１，３０２，３０３  固定具
３１  固定具の噛み合い部
３２  固定具の孔
３３  棒状部材と摺動する固定具の内周面
【図１】
0003229043.tif 000003
【図２】
0003229043.tif 000004
【図３】
0003229043.tif 000005
【図４】
0003229043.tif 000006
【図５】
0003229043.tif 000007
【図６】
0003229043.tif 000008
【図７】
0003229043.tif 000009
【図８】
0003229043.tif 000010
【図９】
0003229043.tif 000011
【図１０】
0003229043.tif 000012
【図１１】
0003229043.tif 000013
【図１２】
0003229043.tif 000014